(57)【要約】【課題】機器に関する複数の問い合わせが入ってもこの問い合わせに対応することのできる問い合わせ受付システムを提供する。【解決手段】問い合わせ受付システム１は、少なくとも地域情報、エレベータの状況情報、及び技術員の動向情報が入力され、且つ公衆網に接続されている端末２を備える。端末２は、受電端末２０と、ＩＶＲサーバー２１と、を備え、情報端末４からの情報に基づいて、問い合わせ対象のエレベータ及び該エレベータの所在を特定し、特定されたエレベータの所在が、入力された地域情報に含まれる地域に該当しないときに、情報端末４と受電端末２０とを通信可能に接続し、特定されたエレベータの所在が、入力された地域情報に含まれる地域に該当したときに、情報端末４とＩＶＲサーバー２１とを通信可能に接続し、応答メッセージをＩＶＲサーバー２１から情報端末４に送信する。【選択図】図１
2019014579.tif 000002
【特許請求の範囲】
【請求項１】
少なくとも地域情報、該地域情報に含まれる地域にある機器の状況情報、及びその機器の保守を担当する技術員の動向情報が入力され、且つ公衆網に接続されている端末を備え、
前記端末は、監視員用の通話部と、自動音声案内部と、を備え、
少なくとも前記公衆網から得られる発信者端末からの情報に基づいて、問い合わせ対象の機器及び該機器の所在を特定し、
特定された前記機器の所在が、入力された前記地域情報に含まれる地域に該当しないときに、前記公衆網を介して前記発信者端末と前記通話部とを通信可能に接続し、
前記特定された前記機器の所在が、入力された前記地域情報に含まれる地域に該当したときに、前記公衆網を介して前記発信者端末と前記自動音声案内部とを通信可能に接続し、前記特定された前記機器の状況情報及び入力された前記技術員の動向情報に基づいて作成された応答メッセージを前記自動音声案内部から前記発信者端末に送信する、ことを特徴とする問い合わせ受付システム。
【請求項２】
前記機器の識別情報が記憶されている記憶部を備え、
前記端末は、前記公衆網から得られる前記発信者端末からの情報と、前記記憶部に記憶されている前記機器の識別情報とに基づいて、前記問い合わせ対象の機器及び該機器の所在を特定する、請求項１に記載の問い合わせ受付システム。
【請求項３】
前記記憶部は、複数の機器の識別情報と、該複数の機器の識別情報の各々に対応する送信先情報と、を記憶し、
前記端末は、送信部を備え、前記特定された前記機器の送信先情報を前記記憶部から抽出し、
前記送信部は、前記応答メッセージに対応した送信メッセージを前記送信先情報に含まれる送信先に送信する、請求項２に記載の問い合わせ受付システム。
【請求項４】
前記技術員の動向情報を、無線回線を通じて前記端末に入力する技術員携帯端末を備える、請求項１〜３のいずれか１項に記載の問い合わせ受付システム。
【請求項５】
前記機器に接続された監視ユニットであって、前記機器の状況情報を、公衆回線を通じて前記端末に入力する監視ユニットを備える、請求項１〜４のいずれか１項に記載の問い合わせ受付システム。
【発明の詳細な説明】
【技術分野】
【０００１】
本発明は、機器に関する問い合わせを受け付ける問い合わせ受付システムに関する。
【背景技術】
【０００２】
従来から、昇降装置の動作状況を監視する遠隔監視システムが提供されている。遠隔監視システムは、動作を制御するための制御マイコンを含む昇降装置と、昇降装置の制御マイコンに対して通信可能に接続され、昇降装置の動作を遠隔で監視するための端末とを備える（特許文献１参照）。
【０００３】
かかるシステムでは、昇降装置（制御マイコン）からの信号（いわゆる、イベントコード）を基に、監視センターの監視員に対して昇降装置の動作状況（運転停止等）が報知される。これに伴い、監視員は、複数存在する技術員の中から直ちに出向可能な技術員や報知の対象となった昇降装置に近い場所に滞在している技術員を選定し、該技術員に現場への出向を要請する。また、監視員は、昇降装置の動作状況、技術員の出向状況、及び、保守の進捗状況等を把握できるため、監視センターには、昇降装置に関する問い合わせ（技術員の出向状況や保守の進捗状況等の問い合わせ）が入るようになっている。
【０００４】
ところで、地震等の災害時において、同時期に複数の昇降装置にトラブルが発生し、監視センターに対して同時期に多数の問い合わせが入ることがある。しかしながら、監視員の人員には限りがあるため、同時期に多数の問い合わせが入ると、対応できないことがある。
【先行技術文献】
【特許文献】
【０００５】
【特許文献１】特開２０１６−４４０５４号公報
【発明の概要】
【発明が解決しようとする課題】
【０００６】
そこで、本発明は、機器に関する複数の問い合わせが入ってもこの問い合わせに対応することのできる問い合わせ受付システムを提供する。
【課題を解決するための手段】
【０００７】
本発明の問い合わせ受付システムは、少なくとも地域情報、該地域情報に含まれる地域にある機器の状況情報、及びその機器の保守を担当する技術員の動向情報が入力され、且つ公衆網に接続されている端末を備え、前記端末は、監視員用の通話部と、自動音声案内部と、を備え、少なくとも前記公衆網から得られる発信者端末からの情報に基づいて、問い合わせ対象の機器及び該機器の所在を特定し、特定された前記機器の所在が、入力された前記地域情報に含まれる地域に該当しないときに、前記公衆網を介して前記発信者端末と前記通話部とを通信可能に接続し、前記特定された前記機器の所在が、入力された前記地域情報に含まれる地域に該当したときに、前記公衆網を介して前記発信者端末と前記自動音声案内部とを通信可能に接続し、前記特定された前記機器の状況情報及び入力された前記技術員の動向情報に基づいて作成された応答メッセージを前記自動音声案内部から前記発信者端末に送信する、ことを特徴とする。
【０００８】
上記問い合わせ受付システムでは、特定の地域にある機器に関する問い合わせに対して、自動音声案内が対応すると共に機器や技術員の状況に応じた応答メッセージが送信され、特定の地域以外にある機器に関する問い合わせに対して、監視員が対応する。言い換えると、機器に関する複数の問い合わせが入っても、特定の地域にある機器に関する問い合わせには監視員が対応せず、自動音声案内で対応することができる。これにより、監視員が対応すべき問い合わせの数を抑えることができるため、機器に関する複数の問い合わせが入っても対応しやすい。
【０００９】
前記問い合わせ受付システムでは、前記機器の識別情報が記憶されている記憶部を備え、前記端末は、前記公衆網から得られる前記発信者端末からの情報と、前記記憶部に記憶されている前記機器の識別情報とに基づいて、前記問い合わせ対象の機器及び該機器の所在を特定してもよい。
【００１０】
かかる構成によれば、発信者端末からの情報に加えて機器の識別情報も考慮した上で、問い合わせ対象の機器及び機器の所在を特定することができる。
【００１１】
前記問い合わせ受付システムでは、前記記憶部は、複数の機器の識別情報と、該複数の機器の識別情報の各々に対応する送信先情報と、を記憶し、前記端末は、送信部を備え、前記特定された前記機器の送信先情報を前記記憶部から抽出し、前記送信部は、前記応答メッセージに対応した送信メッセージを前記送信先情報に含まれる送信先に送信してもよい。
【００１２】
かかる構成によれば、問い合わせ対象の機器に対応する（関連する）送信先にも、送信メッセージを送信することができる。
【００１３】
前記問い合わせ受付システムでは、前記技術員の動向情報を、無線回線を通じて前記端末に入力する技術員携帯端末を備えてもよい。
【００１４】
かかる構成によれば、端末から、技術員の動向情報（技術員の現在の状況）を把握することができる。
【００１５】
前記問い合わせ受付システムでは、前記機器に接続された監視ユニットであって、前記機器の状況情報を、公衆回線を通じて前記端末に入力する監視ユニットを備えてもよい。
【００１６】
かかる構成によれば、監視ユニットから、機器の状況情報（機器の現在の状況）を把握することができる。
【発明の効果】
【００１７】
以上より、本発明によれば、機器に関する複数の問い合わせが入ってもこの問い合わせに対応することのできる問い合わせ受付システムを提供する。
【図面の簡単な説明】
【００１８】
【図１】図１は、本発明の一実施形態に係る問い合わせ受付システムのブロック図である。
【図２】図２は、本発明の一実施形態に係る問い合わせ受付システムで用いられるデータベースを示す図である。
【図３】図３は、本発明の一実施形態に係る問い合わせ受付システムで用いられるデータベースを示す図である。
【図４】図４は、本発明の一実施形態に係る問い合わせ受付システムで用いられるデータベースを示す図である。
【図５】図５は、本発明の一実施形態に係る問い合わせ受付システムで用いられるリストを示す図である。
【図６】図６は、本発明の一実施形態に係る問い合わせ受付システムで用いられるリストを示す図である。
【図７】図７は、本発明の一実施形態に係る問い合わせ受付システムで用いられるリストを示す図である。
【図８】図８は、本発明の一実施形態に係る問い合わせ受付システムの処理を示すフローチャート図である。
【図９】図９は、本発明の一実施形態に係る問い合わせ受付システムの処理を示すフローチャート図である。
【図１０】図１０は、本発明の一実施形態に係る問い合わせ受付システムの処理を示すフローチャート図である。
【図１１】図１１は、本発明の一実施形態に係る問い合わせ受付システムの処理を示すフローチャート図である。
【図１２】図１２は、本発明の変形例に係る問い合わせ受付システムで用いられるデータベースを示す図である。
【図１３】図１３は、本発明の変形例に係る問い合わせ受付システムのブロック図である。
【発明を実施するための形態】
【００１９】
以下、本発明に係る問い合わせ受付システムについて説明する。問い合わせ受付システムは、機器（例えば、エレベータやエスカレータ等）の利用者や管理者からの問い合わせに対して、通常はオペレータによる音声通話で対応する。一方、この問い合わせ受付システムでは、問い合わせが集中するような特定の地域（例えば、地震等の広域災害が発生した地域）からの問い合わせについては、自動音声案内により対応する。尚、以下では、問い合わせ対象の機器としてエレベータを例示して、問い合わせ受付システムを説明する。
【００２０】
問い合わせ受付システムは、図１に示すように、受電オペレータ（監視員）用の受電端末（通話部）２０と、ＩＶＲ（Ｉｎｔｅｒａｃｔｉｖｅ  Ｖｏｉｃｅ  Ｒｅｓｐｏｎｓｅ）サーバー（自動音声案内部）２１とを有する端末２を備える。端末２は、少なくとも地域情報、地域情報に含まれる地域にあるエレベータ（機器）３の状況情報、及びエレベータ３の保守を担当する技術員の動向情報が入力され、且つ、公衆網（例えば、インターネット）に接続されている。
【００２１】
本実施形態の問い合わせ受付システム１は、公衆網（例えば、電話回線）を介して端末２に接続可能な情報端末（発信者端末）４と、エレベータ３の識別情報が記憶されているデータサーバー（記憶部）５と、端末２に無線回線（例えば、インターネット）を介して接続可能な技術員端末（技術員携帯端末）６と、エレベータ３に接続された監視ユニット７と、を備える。また、本実施形態の問い合わせ受付システム１では、端末２とエレベータ３との間に、監視ユニット７に加えて、電話回線を介して監視ユニット７に接続され且つ通信回線（例えば、インターネット）を介して端末２に接続可能な監視端末８が設けられている。
【００２２】
尚、図１では、一台のエレベータ３が示されているが、本実施形態の問い合わせ受付システム１には、複数台のエレベータ３が含まれている。また、本実施形態の問い合わせ受付システム１では、監視ユニット７及び監視端末８が一台ずつ示されているが、複数台の監視ユニット７、及び、複数台の監視端末８が含まれている。さらに、図１では、情報端末４及び技術員端末６が一台ずつ示されているが、本実施形態の問い合わせ受付システム１には、複数台の情報端末４、及び、複数台の技術員端末６が含まれている。
【００２３】
情報端末４は、例えば、ＰＤＡ（Ｐｅｒｓｏｎａｌ  Ｄｉｇｉｔａｌ  Ａｓｓｉｓｔａｎｔ）やノートパソコン等の持ち運び可能な端末や、ウェアラブル端末等である。具体的に、情報端末４は、利用者等（エレベータ３の利用者やエレベータ３の管理者等）により所持される。また、情報端末４は、音声通話が可能な通話部４０と、端末２から出力される後述の応答メッセージを表示可能な第一出力部４１とを有する。尚、第一出力部４１は、例えば、ディスプレイである。
【００２４】
本実施形態の問い合わせ受付システム１では、情報端末４は、利用者等により通話を開始するよう操作されると、公衆網（電話回線）を介して端末２と通信する。この場合、情報端末４は、自身の電話番号を端末２に対して通知可能である。また、情報端末４は、端末２から後述の応答メッセージが出力されると、第一出力部４１にこの出力された応答メッセージを表示する。
【００２５】
技術員端末６は、例えば、ＰＤＡやノートパソコン等の持ち運び可能な端末や、ウェアラブル端末等である。具体的に、技術員端末６は、エレベータ３の保守を担当する技術員により所持される。また、技術員端末６は、エレベータ３の識別情報（例えば、エレベータ３の識別番号）や技術員の動向情報を入力可能な入力部６０と、端末２から出力される後述の情報要求メールを表示可能な第二出力部６１とを有する。入力部６０は、例えば、入力キーやキーボード等であり、第二出力部６１は、例えば、ディスプレイである。尚、技術員端末６がタッチパネル式ディスプレイを備える場合、このディスプレイが入力部６０及び第二出力部６１を兼ねる。
【００２６】
本実施形態の問い合わせ受付システム１では、技術員端末６は、端末２から後述する情報要求メールが出力されるとこの情報要求メールを表示する。また、技術員端末６は、技術員から情報要求メールに対する技術員の動向情報が入力されると、この入力された動向情報を端末２に出力する。
【００２７】
尚、動向情報は、対象のエレベータに対する技術員の出向情報を示す情報であり、例えば、技術員が待機中である旨の情報、技術員が出向予定（出向準備中）である旨の情報、及び、技術員が出向中である旨の情報等である。
【００２８】
エレベータ３は、エレベータ３の状況情報を出力する制御マイコン３０、及び、昇降路を昇降するかご等を含む動作部（図示なし。）等を有する。本実施形態の問い合わせ受付システム１のかごには、エレベータ３の状況を検知すると共に、この検知結果をエレベータ３の状況に関する情報として出力可能な各種センサが設けられている。
【００２９】
制御マイコン３０は、センサから出力された情報に基づいて、エレベータ３の状況情報として、例えば、かごの位置情報、かごのドアの開閉情報、かごを昇降させるモーターの駆動情報、及び、停電等を示すイベントコードや、かご内の撮像画像及び各種ログデータといった状況情報を出力する。
【００３０】
監視ユニット７は、制御マイコン３０から状況情報が入力されると、これらの入力元のエレベータに関する情報（例えば、エレベータ３の識別番号）及び状況情報を、電話回線を介して監視端末８に出力すると共に、自身に蓄積する。また、監視ユニット７は、自身に蓄積したエレベータに関する情報及び状況情報を、電話回線と監視端末８と公衆回線（インターネット）とを介して、端末２に出力可能である。さらに、監視ユニット７は、状況情報に基づいてエレベータ３が復旧しているか（エレベータ３が正常に運転しているか）否かを判断し、これを示す情報も端末２に出力可能である。
【００３１】
本実施形態の監視端末８は、例えば、複数の地域に設置された多数のエレベータの監視を行うと共に、対象となるエレベータと離れた建物である監視センター等に設置されている。本実施形態の監視センターには、監視オペレータ（監視員）が常駐している。
【００３２】
また、監視端末８は、例えば、制御マイコン３０から監視ユニット７を介して出力されたエレベータに関する情報（例えば、エレベータ識別番号）及び状況情報を表示可能な第三出力部８０を有する。第三出力部８０は、例えば、ディスプレイである。
【００３３】
さらに、監視端末８は、制御マイコン３０からエレベータに関する情報（例えば、エレベータ識別番号）及び状況情報が出力されると、第三出力部８０でエレベータに関する情報（例えば、エレベータ識別番号）及び状況情報の内容を表示することで、エレベータ３に関する異常を監視オペレータに報知する。監視オペレータは、この報知を確認することで、エレベータ３の異常を把握することができ、必要に応じて、技術員に出向を要請することができる。
【００３４】
データサーバー５は、エレベータの識別情報（例えば、エレベータの識別番号及びエレベータの所在地）を記憶している。データサーバー５は、例えば、図２、図３、図４に示す各種データベース、図５、図６、図７に示す各種リスト、及び、自動音声応答時に用いる応答メッセージを記憶している。尚、各種データベース、各種リスト、応答メッセージは、書き換え可能である。また、各種データベース及び各種リストにおける各行の情報を、以下、「データ」と称する。
【００３５】
データサーバー５は、例えば、各地域に設置されているエレベータについて、問い合わせの発信元となり得る電話番号と、このエレベータの所在地とを含むデータベースを記憶している。具体的に、データサーバー５は、エレベータ識別番号と、電話番号と、エレベータの所在地とを関連付けて含む登録電話番号データベース（図２参照）を記憶している。電話番号は、エレベータに関する電話番号であり、例えば、エレベータが設置されている建物の電話番号や、エレベータの管理者等の電話番号である。エレベータ所在地は、エレベータが設置されている建物の住所であり、例えば、各都道府県及びこの都道府県における地域（北部、南部、町名等）の住所である。
【００３６】
また、データサーバー５は、例えば、各地域（エレベータが設置されていない地域を含む）における固定電話の電話番号の市外局番を記憶している。具体的に、データサーバー５は、地域情報と、市外局番とを関連付けて含む市外局番データベース（図３参照）を記憶している。地域情報は、各都道府県及びこの都道府県における地域（北部、南部、町名等）の住所であり、エレベータが設置されていない地域の住所を含む。市外局番は、各地域における市外局番である。
【００３７】
さらに、データサーバー５は、例えば、各エレベータの保守を担当する技術員の連絡先を記憶している。具体的に、データサーバー５は、エレベータ識別番号と、技術員メールアドレスとを関連付けて含む技術員データベース（図４参照）を記憶している。エレベータ識別番号は、全てのエレベータの識別番号である。技術員メールアドレスは、関連するエレベータの保守を担当する技術員が所持する技術員端末６のメールアドレスである。
【００３８】
データサーバー５は、例えば、広域災害が発生した地域に設置されたエレベータに関する情報を記憶している。具体的に、データサーバー５は、エレベータ識別番号と、電話番号と、エレベータ所在地と、入力時刻と、情報要求時刻とを関連付けて含む対象エレベータリスト（図５参照）を記憶している。エレベータ識別番号は、例えば、広域災害が発生した地域にあるエレベータの識別番号であり、電話番号は、このエレベータに関する電話番号（このエレベータが設置されている建物の電話番号や、このエレベータの管理者等の電話番号）である。この電話番号は、例えば、固定電話の電話番号や、携帯電話の電話番号である。エレベータ所在地は、このエレベータが設置されている建物の住所及び地域区分（所在都道府県の、東部、西部、南部、北部、中部等）である。入力時刻は、電話番号及びエレベータ所在地を、対象エレベータリストに入力した時点の時刻である。情報要求時刻は、関連するエレベータに対応する技術員端末６に情報要求メールを出力した時点の時刻である。尚、図５では、各エレベータ情報要求メールを未だ出力していないため、情報要求時刻は空欄となっている。
【００３９】
また、データサーバー５は、例えば、広域災害が発生した各地域（エレベータが設置されていない地域を含む）の市外局番を記憶している。具体的に、データサーバー５は、市外局番と、地域情報と、入力時刻とを関連付けて含む対象地域リスト（図６参照）を記憶している。市外局番は広域災害が発生した地域の市外局番であり、対象地域リストは広域災害が発生した地域の住所である。入力時刻は、市外局番及び地域情報を、対象地域リストに入力した時点の時刻である。
【００４０】
さらに、データサーバー５は、例えば、故障の後に復旧してから所定時間（例えば、一時間）が経過したエレベータに関する情報を記憶している。具体的に、データサーバー５は、エレベータ識別番号と、電話番号と、エレベータの所在地とを関連付けて含む復旧エレベータリスト（図７参照）を記憶している。エレベータ識別番号は、故障の後に復旧してから所定時間（例えば、一時間）が経過したエレベータの識別番号である。電話番号及びエレベータの所在地は、故障の後に復旧してから所定時間が経過したエレベータの電話番号及び所在地である。
【００４１】
データサーバー５は、上述の応答メッセージを記憶している。応答メッセージは、音声情報であり、例えば、「００００００２号機は、通常運転中です。担当技術員は出向中です。」といったメッセージである。尚、データサーバー５は、応答メッセージに加えて、電話番号の通知を要請する旨のメッセージ（例えば、「電話番号を通知しておかけ直しください。」といったメッセージ）や、特定の地域に共通のメッセージ（「大阪府北部のエレベータは、全機、通常運転中です。」といったメッセージ）も記憶している。
【００４２】
端末２は、上述した受電端末２０及びＩＶＲサーバー２１に加えて、各種処理を行う処理サーバー２２と、広域災害が発生した地域の地域情報や災害の内容（地震であれば震度等）を示す情報である広域災害情報を出力可能な広域災害管理端末２３とを備える。
【００４３】
受電端末２０は、例えば、監視端末８と同様に、監視センター等に設置されている。本実施形態の監視センターには、受電に対する応答を行う受電オペレータ（監視員）が常駐している。
【００４４】
ＩＶＲサーバー２１は、受電に対して応答メッセージを用いた自動音声音応答が可能である。ＩＶＲサーバー２１は、例えば、発信元の情報端末４に対して応答メッセージを流すことで、自動音声応答が可能である。
【００４５】
処理サーバー２２は、例えば、ＷＥＢサーバーである。本実施形態の問い合わせ受付システム１では、処理サーバー２２は、ＩＶＲサーバー２１、広域災害管理端末２３、データサーバー５、及び、公衆網（インターネット）に接続されている。
【００４６】
広域災害管理端末２３は、例えば、外部から自動的に広域災害情報（広域災害が発生した地域の地域情報や災害の内容）が入力されると、処理サーバー２２に広域災害情報を入力する。
【００４７】
処理サーバー２２は、各種処理として、例えば、対象エレベータリストや対象地域リストの更新、自動音声案内時に用いる応答メッセージの作成、対象地域リストの更新、及び、受電への対応を行う。これらの各処理は、並列して実行可能である。以下、各処理について順に説明する。
【００４８】
処理サーバー２２は、以下の一連の手順に沿って、対象エレベータリストや対象地域リストの更新を行う。処理サーバー２２は、広域災害管理端末２３から広域災害情報が入力されるまで待機し、広域災害情報が入力されるとこの情報を取得し、広域災害情報を地域情報に変換する。具体的には、処理サーバー２２は、この変換の際に、例えば、広域災害情報をテキスト形式もしくはＨＴＭＬ形式からデータ形式に変換する。
【００４９】
処理サーバー２２は、変換した地域情報から不要な地域情報（例えば、震度１の地震が発生した地域の地域情報）を除外し、除外後の地域情報と、登録電話番号データベースにおけるエレベータ所在地とを比較し、一致するものがあれば、登録電話番号データベースにおいて一致したエレベータ所在地、これに関連するエレベータ識別番号、及び、これに関連する電話番号と、現在時刻とを対象エレベータリストに入力することで、対象エレベータリストを更新する。また、処理サーバー２２は、除外後の地域情報と、市外局番データベースにおける地域情報とを比較し、一致するものがあれば、市外局番データベースにおいて一致した地域情報及びこれに関連する市外局番と、現在時刻とを対象地域リストに入力することで、対象地域リストを更新する。
【００５０】
尚、処理サーバー２２は、新たな広域災害情報が入力される度に、対象エレベータリストや対象地域リストの更新を行う。また、処理サーバー２２は、除外後の地域情報と登録電話番号データベースにおけるエレベータ所在地とが一致せず、且つ、除外後の地域情報と市外局番データベースにおける地域情報とが一致しない場合、新たな広域災害情報が入力されるまで待機する。
【００５１】
処理サーバー２２は、以下の一連の手順に沿って、自動音声案内時に用いる応答メッセージの作成を行う。処理サーバー２２は、対象エレベータリストに新たなデータが入力されるまで待機し、対象エレベータリストにデータが入力されると、技術員端末６に情報要求メールを出力していない、又は、技術員端末６に情報要求メールを前回出力してから一定時間（例えば、１時間）経過していれば、技術員データベースからエレベータ３の保守を担当する技術員の技術員メールアドレスを抽出し、技術員端末６に情報要求メールを出力する。また、処理サーバー２２は、技術員端末６に情報要求メールを出力した時点の時刻を、情報要求時刻として対象エレベータリストに入力する。処理サーバー２２は、技術員端末６からエレベータ３の識別情報（例えば、エレベータ３の識別番号）及び技術員の動向情報が入力されると、この動向情報等を取得する。
【００５２】
また、処理サーバー２２は、監視ユニット７から状況情報を取得する。具体的に、処理サーバー２２は、監視ユニット７に状況情報を出力することを要求した後、監視ユニット７から状況情報を取得する。
【００５３】
さらに、処理サーバー２２は、動向情報及び状況情報に基づいて応答メッセージを作成し、この応答メッセージをデータサーバー５に保存する。尚、処理サーバー２２は、技術員端末６からの動向情報や監視ユニット７からの状況情報を新たに取得した場合、随時、新たな応答メッセージを作成する。
【００５４】
尚、技術員端末６に情報要求メールを出力し、且つ、技術員端末６から動向情報が取得できなかった場合、適当な応答メッセージ（例えば、「現在、確認できている情報は、エレベータが休止中であることです。」といったメッセージ）を作成し、この応答メッセージをデータサーバー５に保存してもよい。
【００５５】
処理サーバー２２は、エレベータが復旧してから所定時間が経過するまで前述の処理（応答メッセージを作成するための一連の処理）を繰り返す。処理サーバー２２は、エレベータが復旧してから所定時間が経過すれば、このエレベータのエレベータ識別番号、これに対応する電話番号、及び、これに対応するエレベータ所在地を復旧エレベータリストに入力すると共に、対象エレベータリストからこのエレベータのエレベータ識別番号、及びこれに関連する情報（エレベータ所在地、入力時刻、電話番号、情報要求時刻）を削除する。さらに、処理サーバー２２は、対象エレベータリストに残りのデータがあれば、このデータについての応答メッセージの作成を繰り返す。尚、処理サーバー２２は、エレベータが復旧しているか否かを、監視ユニット７から出力される情報により確認する。
【００５６】
処理サーバー２２は、以下の一連の手順に沿って、対象地域リストの更新を行う。処理サーバー２２は、対象地域リストに新たなデータが入力されるまで待機し、対象地域リストへの入力から所定時間（例えば、４８時間）経過した地域を、経過地域としてこのリストから抽出する。具体的に、処理サーバーは、対象地域リストにおける入力時刻と現在時刻とを比較し、この入力時刻から所定時間経過していれば、関連するエレベータ識別番号及び地域情報を経過地域として抽出する。
【００５７】
処理サーバー２２は、経過地域として地域情報を抽出すれば、経過地域（地域情報）と対象エレベータリストにおけるエレベータ所在地とを比較し、一致しないものがあれば、対象エレベータリストにおける一致しないエレベータ所在地を、削除地域として抽出する。処理サーバー２２は、削除地域を抽出すれば、対象地域リストから削除地域と一致する地域情報、及び、これに関連する情報（市外局番、及び、入力時刻）を削除する。
【００５８】
また、処理サーバー２２は、削除地域と復旧エレベータリストにおけるエレベータ所在地とを比較し、一致するものがあれば、復旧エレベータリストにおけるエレベータ所在地、及び、これに関連する情報（エレベータ識別番号及び電話番号）を削除する。
【００５９】
尚、処理サーバー２２は、経過地域（地域情報）を抽出できなかった場合、経過地域（地域情報）と対象エレベータリストにおけるエレベータ所在地とを比較した結果、一致しないものがなかった場合、及び、削除地域と復旧エレベータリストにおけるエレベータ所在地とを比較した結果、一致するものがなかった場合、復旧エレベータリストにおける情報の削除は行わない。
【００６０】
処理サーバー２２は、以下の一連の手順に沿って、受電への応答を行う。処理サーバー２２は、受電があるまで待機し、受電があり、且つ、対象エレベータリスト又は対象地域リストにデータがあると共に、発信者からの電話番号の通知があれば、通知された電話番号と対象エレベータリストにおける電話番号とを比較する。処理サーバー２２は、この比較の結果、一致するものがあれば、発信元の情報端末４とＩＶＲサーバー２１とを接続し、ＩＶＲサーバー２１に応答メッセージを用いた応答を行わせる。
【００６１】
尚、処理サーバー２２は、通知された電話番号と対象エレベータリストにおける電話番号とを比較し、一致するものがなければ、通知された電話番号と復旧エレベータリストにおける電話番号とを比較し、一致するものがなければ、さらに、通知された電話番号の市外局番と対象地域リストにおける市外局番とを比較する。処理サーバー２２は、通知された電話番号の市外局番と対象地域リストにおける市外局番との比較の結果、一致するものがあれば、発信元の情報端末４とＩＶＲサーバー２１とを接続し、ＩＶＲサーバー２１に特定の地域に共通のメッセージ（例えば、「大阪府北部のエレベータは、全機、通常運転中です。」といったメッセージ）を出力させる。
【００６２】
処理サーバー２２は、通知された電話番号と復旧エレベータリストにおける電話番号とを比較し、一致するものがあれば、発信元の情報端末４とＩＶＲサーバー２１とを接続し、ＩＶＲサーバー２１に応答メッセージを用いた応答を行わせる。
【００６３】
また、処理サーバー２２は、通知された電話番号の市外局番と対象地域リストにおける市外局番との比較の結果、一致するものがなければ、発信元の情報端末４と受電端末２０とを接続し、受電オペレータに対応させる。尚、発信元の情報端末４と受電端末２０との接続を試みたにもかかわらず、対応可能な受電オペレータが居ない場合には、この情報端末４にオペレータが対応可能となるまで待つことを要請するメッセージ（例えば、「オペレータが話し中ですので、しばらくお待ちください。」といったメッセージ）を出力してもよい。
【００６４】
また、処理サーバー２２は、受電があり、且つ、対象エレベータリスト又は対象地域リストにデータがあると共に、発信者からの電話番号の通知がなければ、発信元の情報端末４とＩＶＲサーバー２１とを接続し、ＩＶＲサーバー２１に電話番号の通知を要請する旨のメッセージ（例えば、「電話番号を通知しておかけ直しください。」といったメッセージ）を出力させてもよい。また、処理サーバー２２は、ＩＶＲサーバー２１に、このようなメッセージの代わりに、「登録番号（エレベータ識別番号）」、「郵便番号」、「市外局番」、「電話番号」のいずれかのキー入力を促すメッセージを出力させてもよい。
【００６５】
さらに、処理サーバー２２は、受電があり、且つ、対象エレベータリスト及び対象地域リストのいずれにもデータがない場合、発信元の情報端末４と受電端末２０とを接続し、受電オペレータに対応させる。
【００６６】
以下、図８、図９、図１０、及び図１１のフローチャート図を用いて、問い合わせ受付システム１における各処理（対象エレベータリストや対象地域リストの更新、自動音声案内時に用いる応答メッセージの作成、対象地域リストの更新、及び、受電への対応）の流れを説明する。
【００６７】
処理サーバー２２は、広域災害管理端末２３から広域災害情報が入力されない場合（図８のＳ０１においてＮｏ）、入力があるか否かの判断を繰り返し、広域災害情報が入力されると（Ｓ０１においてＹｅｓ）、広域災害管理端末２３から広域災害情報を取得する（Ｓ０２）。処理サーバー２２は、取得した広域災害情報を地域情報に変換し（Ｓ０３）、変換した地域情報から不要な地域情報（例えば、震度１の地震が発生した地域の地域情報）を除外する（Ｓ０４）。
【００６８】
処理サーバー２２は、除外後の地域情報と、登録電話番号データベースにおけるエレベータ所在地とを比較し（Ｓ０５）、一致するものがあれば（Ｓ０６においてＹｅｓ）、対象エレベータリストを更新する（Ｓ０７）。具体的には、処理サーバー２２は、登録電話番号データベースにおける一致したエレベータ所在地、これに関連するエレベータ識別番号、及び、これに関連する電話番号と、現在時刻とを対象エレベータリストに入力することで、対象エレベータリストを更新する。
【００６９】
また、処理サーバー２２は、除外後の地域情報と、市外局番データベースにおける地域情報とを比較し（Ｓ０８）、一致するものがあれば（Ｓ０９においてＹｅｓ）、対象地域リストを更新する（Ｓ１０）。具体的に、処理サーバー２２は、市外局番データベースにおける一致した地域情報及びこれに関連する市外局番と、現在時刻とを対象地域リストに入力することで、対象地域リストを更新する。
【００７０】
尚、処理サーバー２２は、除外後の地域情報と登録電話番号データベースにおけるエレベータ所在地とが一致しない場合（Ｓ０６においてＮｏ）や、除外後の地域情報と市外局番データベースにおける地域情報とが一致しない場合（Ｓ０９においてＮｏ）には、一旦、処理を終了する。
【００７１】
処理サーバー２２は、対象エレベータリストに新たなデータが入力されなければ（図９のＳ１１においてＮｏ）、新たなデータの入力があるか否かの判断を繰り返し、対象エレベータリストに新たなデータが入力され（Ｓ１１においてＹｅｓ）、且つ、技術員端末６に情報要求メールを出力している（Ｓ１２においてＹｅｓ）と共に、前回情報要求メールを出力してから一定時間が経過していれば（Ｓ１３においてＹｅｓ）、技術員端末６に情報要求メールを出力して、技術員端末６から技術員の動向情報を取得する（Ｓ１４）。次に、処理サーバー２２は、監視ユニット７から状況情報を取得する（Ｓ１５）。
【００７２】
処理サーバー２２は、Ｓ１４及びＳ１５で取得した動向情報及び状況情報に基づいて、応答メッセージを作成し、この応答メッセージをデータサーバー５に保存し、この時点での時刻を、情報要求時刻として対象エレベータリストに入力する（Ｓ１６）。
【００７３】
さらに、処理サーバー２２は、エレベータが復旧してから所定時間が経過すれば（Ｓ１７においてＹｅｓ）、このエレベータ（エレベータが復旧してから所定時間が経過したエレベータ）のエレベータ識別番号、これに対応する電話番号、及び、これに対応するエレベータ所在地を復旧エレベータリストに入力すると共に、対象エレベータリストから、このエレベータのエレベータ識別番号、及び、これに関連する情報（エレベータ所在地、入力時刻、電話番号、情報要求時刻）を削除する（Ｓ１８）。その後、処理サーバー２２は、対象エレベータリストに残りのデータがあれば（Ｓ１９においてＹｅｓ）、このデータについての応答メッセージの作成を繰り返す。また、処理サーバー２２は、対象エレベータリストに残りのデータがなければ（Ｓ１９においてＮｏ）、Ｓ１１における対象エレベータリストに新たなデータの入力があるか否かの判断に戻る。
【００７４】
尚、処理サーバー２２は、技術員端末６に情報要求メールを前回出力してから一定時間経過していない場合（Ｓ１３においてＮｏ）、Ｓ１７におけるエレベータが復旧してから所定時間が経過しているか否かの判断に進む。また、処理サーバー２２は、エレベータが復旧してから所定時間が経過していない場合（Ｓ１７においてＮｏ）、Ｓ１２における前回情報要求メールを出力してから一定時間が経過しているか否かの判断に戻る。
【００７５】
処理サーバー２２は、対象地域リストに新たなデータが入力されなければ（図１０のＳ２１においてＮｏ）、新たなデータの入力があるか否かの判断を繰り返し、対象地域リストに新たなデータが入力され（Ｓ２１においてＹｅｓ）、対象地域リストへの入力から所定時間経過した地域情報があれば、経過地域として抽出するための処理を行う（Ｓ２２）。処理サーバー２２は、Ｓ２２により経過地域を抽出できれば（Ｓ２３においてＹｅｓ）、経過地域（地域情報）と対象エレベータリストにおけるエレベータ所在地とを比較し、一致しないものがあれば、この一致しないエレベータ所在地を、削除地域として抽出するための処理を行う（Ｓ２４）。処理サーバー２２は、Ｓ２４により削除地域を抽出できれば（Ｓ２５においてＹｅｓ）、対象地域リストから削除地域と一致する地域情報、及び、これに関連する情報（市外局番、及び、入力時刻）を削除する（Ｓ２６）。
【００７６】
また、処理サーバー２２は、削除地域と復旧エレベータリストにおけるエレベータ所在地とを比較し（Ｓ２７）、一致するものがあれば（Ｓ２８においてＹｅｓ）、復旧エレベータリストにおけるエレベータ所在地、及び、これに関連する情報（エレベータ識別番号及び電話番号）を削除する（Ｓ２９）。その後、処理サーバー２２は、対象地域リストに残りのデータがあれば（Ｓ３０においてＹｅｓ）、Ｓ２２の経過地域を抽出するための処理に戻る。
【００７７】
尚、処理サーバー２２は、経過地域（地域情報）を抽出できなかった場合（Ｓ２３においてＮｏ）、及び、削除地域を抽出できなかった場合（Ｓ２５においてＮｏ）には、Ｓ３０の対象地域リストに残りデータがあるか否かの判断に進む。また、処理サーバー２２は、Ｓ２７における削除地域と復旧エレベータリストにおけるエレベータ所在地との比較の結果、一致するものがない場合においても（Ｓ２８においてＮｏ）、Ｓ３０の対象地域リストに残りのデータがあるか否かの判断に進む。
【００７８】
処理サーバー２２は、受電がなければ（図１１のＳ３１においてＮｏ）、受電があるか否かの判断を繰り返し、受電があり（Ｓ３１においてＹｅｓ）、且つ、対象エレベータリスト又は対象地域リストにデータがある（Ｓ３２においてＹｅｓ）と共に、発信者からの電話番号の通知があれば（Ｓ３３においてＹｅｓ）、通知された電話番号と対象エレベータリストにおける電話番号とを比較する（Ｓ３４）。処理サーバー２２は、Ｓ３４の比較の結果、一致するものがあれば（Ｓ３５）、発信元の情報端末４とＩＶＲサーバー２１とを接続し、ＩＶＲサーバー２１に応答メッセージを用いた応答を行わせる（Ｓ３６）。
【００７９】
一方、処理サーバー２２は、Ｓ３４の通知された電話番号と対象エレベータリストにおける電話番号との比較の結果、一致するものがなければ（Ｓ３５においてＮｏ）、通知された電話番号と復旧エレベータリストにおける電話番号とを比較する（Ｓ３７）。処理サーバー２２は、Ｓ３７の比較の結果、一致するものがなければ（Ｓ３８においてＮｏ）、さらに、通知された電話番号の市外局番と対象地域リストにおける市外局番とを比較する（Ｓ３９）。処理サーバー２２は、Ｓ３９の比較の結果、一致するものがあれば（Ｓ４０においてＹｅｓ）、発信元の情報端末４とＩＶＲサーバー２１とを接続し、ＩＶＲサーバー２１に特定の地域に共通のメッセージ（例えば、「大阪府北部のエレベータは、全機、通常運転中です。」といったメッセージ）を出力させる（Ｓ４１）。
【００８０】
処理サーバー２２は、Ｓ３７の通知された電話番号と復旧エレベータリストにおける電話番号との比較の結果、一致するものがあった場合にも（Ｓ３８においてＹｅｓ）、発信元の情報端末４とＩＶＲサーバー２１とを接続し、ＩＶＲサーバー２１に応答メッセージを用いた応答を行わせる（Ｓ３６）。
【００８１】
また、処理サーバー２２は、Ｓ４０の通知された電話番号の市外局番と対象地域リストにおける市外局番との比較の結果、一致するものがなければ（Ｓ４０においてＮｏ）、発信元の情報端末４と受電端末２０とを接続し、受電オペレータに対応させる（Ｓ４２）。さらに、処理サーバー２２は、受電があり（Ｓ３１においてＹｅｓ）、且つ、対象エレベータリスト及び対象地域リストのいずれにもデータがない場合にも（Ｓ３２においてＹｅｓ）、発信元の情報端末４と受電端末２０とを接続し、受電オペレータに対応させる（Ｓ４２）。
【００８２】
尚、処理サーバー２２は、受電があり（Ｓ３１においてＹｅｓ）、且つ、対象エレベータリスト又は対象地域リストにデータがある（Ｓ３２においてＹｅｓ）と共に、発信者からの電話番号の通知がない場合にも（Ｓ３３においてＮｏ）、発信元の情報端末４と受電端末２０とを接続し、受電オペレータに対応させる（Ｓ４２）。
【００８３】
以上の問い合わせ受付システム１では、特定の地域（例えば、広域災害が発生した地域）にあるエレベータに関する問い合わせに対して、ＩＶＲサーバー２１がエレベータの状況や技術員の動向に応じた応答メッセージにより自動音声案内で対応すると共に、特定の地域以外（例えば、広域災害が発生していない地域））にあるエレベータに関する問い合わせに対して、受電オペレータが対応する。言い換えると、エレベータに関する複数の問い合わせが入っても、特定の地域にあるエレベータに関する問い合わせには受電オペレータが対応せず、自動音声案内で対応することができる。これにより、受電オペレータが対応すべき問い合わせの数を抑えることができるため、エレベータに関する複数の問い合わせが入っても対応しやすい。
【００８４】
また、本実施形態の問い合わせ受付システム１では、技術員端末６から、技術員の動向情報（技術員の現在の状況）を把握することができる。
【００８５】
さらに、本実施形態の問い合わせ受付システム１では、監視ユニット７から、エレベータの状況情報（エレベータの現在の状況）を把握することができる。
【００８６】
処理サーバー２２が、エレベータが設置されていない地域についても対象地域リストを更新し、問い合わせ発信元の電話番号が、対象地域リストに登録されている市外局番を含む場合、地域共通のメッセージを案内する。そのため、例えば、エレベータが設置されていない地域から受電が有った場合にも、Ｓ４１において、ＩＶＲサーバー２１に自動音声応答を行わせることができる。
【００８７】
尚、本発明の問い合わせ受付システムは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８８】
例えば、端末２は、ＩＶＲサーバー２１に自動音声応答を行わせる際に、送信メッセージを作成して、この送信メッセージを特定の送信先に送信してもよい。送信メッセージは、例えば、自動音声応答と略同一の内容を含むメッセージである。
【００８９】
この場合、データサーバー（記憶部）５が、複数のエレベータの識別情報（例えば、識別番号）と、複数のエレベータの識別情報の各々に対応する送信先情報（例えば、送信先アドレス）とを含む図１２の送信先データベースを記憶していてもよい。尚、送信先アドレスは、対象のエレベータを管理する管理者等のメールアドレスである。また、データサーバー（記憶部）５は、送信メッセージを作成するための雛型を記憶していてもよい。
【００９０】
この場合、具体的に、処理サーバー２２は、エレベータの状況情報や技術員の動向情報に基づいて送信メッセージを作成してもよい。また、処理サーバー２２は、送信先データベース（図１２参照）から特定された送信先情報を抽出してもよい。さらに、端末２は送信部（例えば、メールサーバー）を備え、この送信部が応答メッセージに対応した送信メッセージを送信先アドレスに送信してもよい。
【００９１】
かかる構成によれば、問い合わせ対象のエレベータに対応する（関連する）送信先にも、送信メッセージを送信することができる。また、送信先となる管理者等が、自動音声応答の内容を確認することができる。
【００９２】
データサーバー５は、対象エレベータリスト（図５参照）や復旧エレベータリスト（図７参照）において、「エレベータ識別番号」に関連付けて「電話番号」及び「エレベータ所在地」を記憶していたが、これらを記憶していなくてもよい。この場合、処理サーバー２２は、登録電話番号データベース（図２参照）から「エレベータ識別番号」に基づいて「電話番号」及び「エレベータ所在地」を取得すればよい。
【００９３】
広域災害管理端末２３には、例えば、情報端末４、技術員端末６、監視端末８等から手動の操作により広域災害情報が入力されてもよい。この場合であっても、端末２は、広域災害が発生した地域を把握し、これに応じて受電（問い合わせ）への対応を行うことができる。
【００９４】
処理サーバー２２は、図８におけるＳ０３において広域災害情報から変換した地域情報の全部について、登録電話番号データベースにおけるエレベータ所在地との比較を行ってもよい。この場合、端末２は、より広い地域について、ＩＶＲサーバー２１での自動音声応答を行わせることができる。
【００９５】
また、処理サーバー２２は、エレベータが設置されていない地域について対象地域リストを設定し、対象地域リストを更新していたが、対象地域リストの設定や更新を行わなくてもよい。この場合、処理サーバー２２は、エレベータが設置されていない地域からの受電を受けた場合には、情報端末４を受電端末２０に接続し、受電オペレータに対応させてもよい。
【００９６】
さらに、処理サーバー２２は、問い合わせ発信元の電話番号以外にも、ＩＰアドレス等により発信元の地域を特定してもよい。この場合、登録電話番号データベースの電話番号の欄に、ＩＰアドレスを入力すればよい。
【００９７】
処理サーバー２２は、公衆網から得られる情報端末４からの情報（例えば、通知された電話番号の市外局番）に加えて、エレベータの識別情報に基づいて、問い合わせ対象のエレベータ及びこのエレベータの所在を特定してもよい。これにより、情報端末４からの情報に加えてエレベータの識別情報（エレベータの識別番号）も考慮した上で、問い合わせ対象のエレベータ及びこのエレベータの所在地を特定することができる。具体的に、通知された市外局番に基づいて特定される地域が広い場合であっても、エレベータの識別番号に基づいてエレベータの所在地を特定することで、的確にエレベータの所在地を特定することができる。
【００９８】
また、処理サーバー２２は、受電があり、且つ、対象エレベータリストにデータがあると共に、発信者から電話番号の通知があるときに、通知された電話番号の市外局番から特定できるエレベータの所在地と、技術員端末６から入力されたエレベータの識別情報（例えば、エレベータ識別番号）に基づくエレベータの所在地とが異なっていれば、入力されたエレベータの識別情報（例えば、エレベータ識別番号）に基づくエレベータの所在地を採用してもよい。この場合、例えば、問い合わせ対象のエレベータの所在地と情報端末４の現在地とが異なっていても、的確にエレベータの所在地を特定ことができる。
【００９９】
尚、この場合、処理サーバー２２は、受電を受け付ける際に、発信者にエレベータの識別情報（例えば、エレベータ識別番号）を入力させてもよい。
【０１００】
処理サーバー２２は、受電があり（Ｓ３１においてＹｅｓ）、且つ、対象エレベータリスト又は対象地域リストにデータがある（Ｓ３２においてＹｅｓ）と共に、発信者からの電話番号の通知がなければ（Ｓ３３においてＮｏ）、発信元の情報端末４と受電端末２０とを接続し、受電オペレータに対応させる（Ｓ４２）代わりに、発信元の情報端末４とＩＶＲサーバー２１とを接続し、ＩＶＲサーバー２１に電話番号の通知を要請する旨のメッセージ（例えば、「電話番号を通知しておかけ直しください。」といったメッセージ）を出力させてもよい。
【０１０１】
処理サーバー２２の代わりに、ＩＶＲサーバー２１が、図１１におけるＳ３４、Ｓ３５、Ｓ３７〜Ｓ４１までの処理を行ってもよい。具体的に、ＩＶＲサーバー２１が、通知された電話番号と対象エレベータリストにおける電話番号とを比較し、一致するものがなければ、通知された電話番号と復旧エレベータリストにおける電話番号とを比較し、一致するものがなければ、さらに、通知された電話番号の市外局番と対象地域リストにおける市外局番とを比較してもよい。また、ＩＶＲサーバー２１は、この通知された電話番号の市外局番と対象地域リストにおける市外局番との比較の結果、一致するものがあれば、発信元の情報端末４とＩＶＲサーバー２１とを接続し、ＩＶＲサーバー２１に特定の地域に共通のメッセージ（例えば、「大阪府北部のエレベータは、全機、通常運転中です。」といったメッセージ）を出力させるとの処理を行ってもよい。
【０１０２】
技術員端末６は、エレベータ３に関する営業を担当する営業担当者により所持されてもよい。
【０１０３】
上記実施形態の問い合わせ受付システム１では、エレベータが復旧しているか否かを、状況情報に基づいてエレベータ３が復旧しているか（エレベータ３が正常に運転しているか）否かにより判断していたが、この代わりに、技術員が実際にエレベータ３の運転を確認して、エレベータが復旧しているか否かを判断してもよい。
【０１０４】
また、上記実施形態の問い合わせ受付システム１では、監視ユニット７と監視端末８とが電話回線により接続されていたが、図１３に示すように、これらがインターネットを介して接続されていてもよい。また、端末２と情報端末４とは、電話回線を介して接続されていたが、これらがインターネットを介して接続されていてもよい。
【０１０５】
さらに、上記実施形態の問い合わせ受付システム１は、機器としてエレベータを対象としていたが、エスカレータやビル設備等の機器を対象としていてもよい。エスカレータを対象としている場合、問い合わせ受付システム１は、制御マイコン３０の代わりに、ＰＬＣユニット（Ｐｒｏｇｒａｍｍａｂｌｅ  Ｌｏｇｉｃ  Ｃｏｎｔｒｏｌｌｅｒ）を備えてもよい。
【符号の説明】
【０１０６】
１…問い合わせ受付システム、２…端末、２０…受電端末（通話部）、２１…ＩＶＲサーバー（自動音声案内部）、２２…処理サーバー、２３…広域災害管理端末、３…エレベータ、３０…制御マイコン、４…情報端末（発信者端末）、４０…通話部、４１…第一出力部、５…データサーバー（記憶部）、６…技術員端末（技術員携帯端末）、７…監視ユニット、８…監視端末、８０…第三出力部
【図１】
2019014579.tif 000003
【図２】
2019014579.tif 000004
【図３】
2019014579.tif 000005
【図４】
2019014579.tif 000006
【図５】
2019014579.tif 000007
【図６】
2019014579.tif 000008
【図７】
2019014579.tif 000009
【図８】
2019014579.tif 000010
【図９】
2019014579.tif 000011
【図１０】
2019014579.tif 000012
【図１１】
2019014579.tif 000013
【図１２】
2019014579.tif 000014
【図１３】
2019014579.tif 000015